(57)【要約】【課題】  フードの内周面に付着して水滴化した内容液の、フードからの滴下を阻止することにより、内容液の滴下による不正な濡れおよび汚れの発生のない、内容液の適正な規整噴霧を得ることを目的とする。【解決手段】  噴霧器１１のノズルヘッド１２に外嵌組付きする基端開口部２から先端開口部３に向かってラッパ状に拡径し、先端開口部３に液吸収部材４を設け、内周面に付着して水滴化して流下してくる内容液を、液吸収部材４に吸収させて、滴下による周囲の濡れとか汚れの発生を防止する。【選択図】図２
2005270823.tif 000002
【特許請求の範囲】
【請求項１】
噴霧器（１１）のノズルヘッド（１２）に外嵌組付きする基端開口部（２）から先端開口部（３）に向かってラッパ状に拡径し、前記先端開口部（３）に液吸収部材（４）を設けた噴霧器用フード。
【請求項２】
液吸収部材（４）を、前記先端開口部（３）の全周に設けた請求項１に記載の噴霧器用フード。
【請求項３】
噴霧器（１１）のノズルヘッド（１２）に外嵌組付きする基端開口部（２）から先端開口部（３）に向かってラッパ状に拡径し、ラッパ状に拡径した部分を液吸収部材（４）で形成した噴霧器用フード。
【請求項４】
ノズルヘッド（１２）に外嵌する筒状の嵌着治具（９）の外周面に係止周溝（１０）を周設し、基端開口部（２）に内鍔片状に複数設けた係止リブ片（８）を、前記係止周溝（１０）に嵌入係止させて前記ノズルヘッド（１２）への組付けを達成する請求項１〜３のいずれか１項に記載の噴霧器用フード。
【請求項５】
ラッパ状筒体を展開した扇形状に成形された、本体シート（５）の一方の側端部に、複数の係合孔（６）を開設し、前記本体シート（５）の他方の側端部に、前記係合孔（６）に嵌入係合する複数の係合突片（７）を突設し、前記本体シート（５）を丸めて、前記係合孔（６）に係合突片（７）を係合させて構成した請求項１〜４のいずれか１項に記載の噴霧器用フード。
【請求項６】
液吸収部材（４）は、スポンジあるいは不織布である請求項１〜５のいずれか１項に記載の噴霧器用フード。
【発明の詳細な説明】
【技術分野】
【０００１】
本発明は、噴霧器、特にはトリガー式噴霧器に装着されて、霧飛散防止作用を発揮する噴霧器用フードに関するものである。
【背景技術】
【０００２】
噴霧器のノズルヘッドの外周に、基部にノズルヘッドの外周を嵌合する嵌合開口を形成し、先端に所定の大きさ、形状に形成した開口を設けて成る噴霧範囲を規整する案内筒（フード）を、嵌合開口を以って噴霧器のノズルヘッドに着脱自在に取り付けることができるようにしたものが知られている。
【０００３】
【特許文献１】特開２００４−０３４００６号公報
【０００４】
この特許文献１にあっては、構造が簡単であり、噴霧対象箇所、噴霧対象物体になるべく多くの霧を散布でき、噴霧対象箇所、噴霧対象物体以外の周囲には余分な霧の吹き付けを制限できる、という効果を発揮する。
【発明の開示】
【発明が解決しようとする課題】
【０００５】
しかしながら、特許文献１に開示された従来技術にあっては、噴霧された内容液の一部がフードの内周面に付着して水滴化し、この水滴化した内容液が、先端の開口からフード外に滴下して、周囲を不正に濡らすとか、汚す、という問題があった。
【０００６】
そこで、本発明は、上記した従来技術における問題点を解消すべく創案されたもので、フードの内周面に付着して水滴化した内容液の、フードからの滴下を阻止することを技術的課題とし、もって内容液の滴下による不正な濡れおよび汚れの発生のない、内容液の適正な規整噴霧を得ることを目的とする。
【課題を解決するための手段】
【０００７】
上記技術的課題を解決する本発明の内、請求項１記載の発明に手段は、
噴霧器のノズルヘッドに外嵌組付きする基端開口部から先端開口部に向かってラッパ状に拡径していること、
先端開口部に液吸収部材を設けたこと、
にある。
【０００８】
この請求項１記載の発明にあっては、噴霧器のノズルヘッドのノズルから噴霧された内容液は、フードにより、周囲に不要に飛散することなく、その散布範囲を目的箇所に正確に規整された状態で、散布される。
【０００９】
この内容液の噴霧動作に際して、フードに付着して水滴化した内容液の一部は、集まって大きな水滴状となって、フードの内周面を流下する。フードの内周面を流下する水滴化した内容液は、先端開口部に向かって流動するが、先端開口部には、液吸収部材が設けられているので、流動してきた内容液は、この液吸収部材に吸収され、先端開口部からフード外に滴下することがない。液吸収部材に吸収された内容液は適宜液吸収部材から蒸散するので、フードを再使用できる。
【００１０】
請求項２記載の発明は、請求項１に記載の発明の構成に、液吸収部材を先端開口部の全周に設けた、ことを加えたものである。
【００１１】
請求項３記載の発明は、液吸収部材を用いてフードを形成した。この請求項３記載の発明にあっては、フード内周面に付着した内容液が液吸収部材により吸収され、フードからの滴下を無くすことができる。
【００１２】
請求項４記載の発明は、請求項１〜３のいずれか１項に記載の発明の構成に、ノズルヘッドに外嵌する筒状の嵌着治具の外周面に係止周溝を周設し、基端開口部に内鍔片状に複数設けた係止リブ片を、嵌着治具の係止周溝に嵌入係止させてノズルヘッドへの組付けを達成する、ことを加えたものである。
【００１３】
この請求項４記載の発明にあっては、既存の噴霧器に対して、フードを無理なく好適に組付けることができる。特に、シート材を丸めてフードを構成した場合、その基端開口部が円形となるので、外観形状が三角柱状となっている噴霧器のノズルヘッドに対する組付きには不適当となるが、このような場合に嵌着治具を用いることにより、フードの噴霧器に対する組付けを好適に達成できる。
【００１４】
請求項５記載の発明は、請求項１〜４のいずれか１項に記載の発明の構成に、ラッパ状筒体を展開した扇形状に成形された、本体シートの一方の側端部に、複数の係合孔を開設し、本体シートの他方の側端部に、係合孔に嵌入係合する複数の係合突片を突設し、本体シートを丸めて、係合孔に係合突片を係合させて構成した、ことを加えたものである。
【００１５】
この請求項５記載の発明にあっては、本体シートに係合穴や係合突片を設け、フードを、熱成形等を利用して安価にかつ簡単に得ることが可能であり、また噴霧器付き容器体に対するフードの付帯が、簡単にかつ好ましい状態で達成できる。
【００１６】
請求項６記載の発明は、請求項１〜５のいずれか１項に記載の発明の構成に、液吸収部材をスポンジもしくは不織布とした、ことを加えたものである。この請求項６記載の発明にあっては、樹脂製シート材でフードを形成し、スポンジや不織布等をフードに設けることと、フード自体を不織布等の液吸収部材で形成することを含む。
【発明の効果】
【００１７】
本発明は、上記した構成となっているので、以下に示す効果を奏する。
【００１８】
請求項１記載の発明にあっては、内容液を、周囲に不要に飛散させることなく、目的箇所に正確に規整された状態で、散布することができる。
【００１９】
また、フード内面に付着して水滴化した内容液が水滴状となって、フードの内周面を流下して、先端開口部に向かって流動しても、液吸収部材に吸収されてフード外に滴下することがないので、噴霧した内容液により、周囲を濡らしたり汚したりすることがない。液吸収部材に吸収された内容液は適宜液吸収部材から蒸散するので、フードを再使用できる。
【００２０】
請求項２記載の発明にあっては、フードをどのような位置に向けても先端開口部で内容液を吸収させることができ、先端開口部から流下する内容液を無くすことができる。それにより内容液による周囲の濡れおよび汚れの発生を、確実に防止することができる。
【００２１】
請求項３に記載の発明にあっては、フード内周面に付着した内容液は、液吸収部材に吸収され、フードをどのような回転位置に取り付けても先端開口部から流下する内容液を無くすことができる。また内容液をフードの表裏面から蒸散でき、短い時間内で内容液を液吸収部材から蒸散させ、再使用が容易となる。
【００２２】
請求項４記載の発明にあっては、既存の噴霧器に対して、フードを無理なく好適に組付けることができるので、フードの無理のない好適な利用を得ることができる。
【００２３】
請求項５記載の発明にあっては、フードを、安価にかつ簡単に得ることが可能であり、また噴霧器付き容器体に対するフードの付帯が、簡単にかつ好ましい状態で達成でき、好ましい取扱いを得ることができる。
【００２４】
請求項６記載の発明にあっては、スポンジや不織布を用いて液吸収部材を容易にフードに設けることができる。またフード全体をスポンジや不織布で容易に形成できる。
【発明を実施するための最良の形態】
【００２５】
以下、本発明の実施形態を、図面を参照しながら説明する。
【００２６】
図１および図２に示すように、本発明によるフード１を組付ける噴霧器１１は、引き金状のトリガー１３を有するトリガー式噴霧器となっており、噴霧すべき内容液を収納した容器体１４の上端開口部に、組付けキャップ１５により組付けられている。
【００２７】
この図１および図２に示した実施例にあっては、本発明によるフード１は、噴霧器１１の、ノズルを開設したノズルヘッド１２に、筒状構造をした嵌着治具９を介して組付けられている。
【００２８】
図３は、本発明によるフード１の一実施例を示すもので、噴霧器１１のノズルヘッド１２に対する組付き部分となる基端開口部２から、噴霧された内容液の噴出口となる先端開口部３に向かって、ラッパ状に拡径したテーパー筒構造をしており、先端開口部３には、スポンジからなる液吸収部材４が設けられており、さらに基端開口部２の開口縁には、内鍔片状となった複数の係止リブ片８が突片状に設けられている。
【００２９】
このフード１は、その形状が円錐台筒形状に限定されることはなく、噴霧内容液の散布規整形態に応じて、その先端開口部３の開口形状を、円形、楕円形、正方形、長方形等の所望する形状とすることができる。また、単に噴霧内容液が散布対象面以外の周囲に広く飛散するのを防止したい場合には、フード１の形状は、その基端開口部２から先端開口部３に向かう拡径程度の開角角度が、噴霧内容液の噴射角と等しいか、僅かに大きくなった円錐台筒形状とするのが良い。更にフード１に設けられた液吸収部材４は、噴霧内容液が直接吹きつけられない構成が好ましく、またスポンジに限らず、不織布等液体を吸収するものであれば他の素材から形成することができる。
【００３０】
このフード１に対して嵌着治具９は、ノズルヘッド１２の外周面と同じ形状および大きさの内周面と、フード１の基端開口部２の口径と等しい外径の円周面となった外周面とを有しており、外周面の先端寄りの箇所には、フード１の係止リブ片８が強固に嵌入係止する係止周溝１０が周設されている。
【００３１】
なお、図２から明らかなように、嵌着治具９の内周面には、嵌着治具９のノズルヘッド１２に対する組付き位置を規制する機能部分、および嵌着治具９のノズルヘッド１２に対する嵌着組付きを維持する機能部分が形成されている。
【００３２】
図４は、フード１をシート材で製作する場合の一例を示すもので、フード１に組立てられる本体シート５は、ポリプロピレン樹脂またはポリエチレン樹脂等の合成樹脂製シートから、円錐台筒形状体を展開した扇形状に裁断成形される。
【００３３】
この本体シート５を合成樹脂製シートで製作する場合、合成樹脂製シートの成形材料が限定されることはないのであるが、内容液の物性に対する耐久性に優れた特性を有する合成樹脂材料を選択することが望ましい。
【００３４】
この本体シート５の一方の側端部（図４において左側端部）には、二つの係合孔６が開設されており、また本体シート５の他方の側端部には、係合孔６に嵌入係合する二つの係合突片７が突設されており、そして本体シート５の小径湾曲端縁には、複数の係止リブ片８が屈曲して起立状に設けられており、さらに大径湾曲端には、この大径湾曲端に沿って液吸収部材４が接着剤等により固着されている。係合孔６と係合突片７とはどちらを上にして重ね合わせてもよく、また係合突片７の突出方向も表裏を問わない。
【００３５】
この図４に示した本体シート５を丸めて、係合孔６に係合突片７を嵌入係合させることにより、図３に示すようにフード１が組立てられる。フード１を組み付けた容器体１４は、フード１の先端開口部３から液垂れを起こすことなく、霧状の内容液を所定の範囲に限定して確実に散布できる。
【００３６】
このように液吸収部材４を先端開口部３の全周域に亘って形成した場合には、噴霧器１１のノズルヘッド１２に対するフード１の、周方向に沿った組付け位置の規制を無くすことができる。また内容液が、フード１内周面のいずれの位置から先端開口部３に流動しても、内容液を吸収し滴下を阻止できる。
【００３７】
尚液吸収部材４をフード１の先端開口部３の下側にのみ配置して、フード１の下側に流動してきた内容液を吸収させてもよい。
【００３８】
図５に、フード１を不織布により成形した例を示す。これは、本体シート５を不織布等の液吸収部材４から形成し、その本体シート５に係合孔６、係合突片７、係止リブ片８を設け、フード１として組み付けたものである。
【００３９】
このようにすると、形成、組み付けが容易で、所定の範囲に限定して確実に内容液を散布でき、かつフード１内周面に付着した内容液を確実に吸収できる。また吸収した内容液がフード１の表裏面から蒸散されるので乾燥が早く、再使用が容易となる。尚、不織布に限らずスポンジなど他の材質からフード１を形成してもよい。
【図面の簡単な説明】
【００４０】
【図１】噴霧器付き容器体に組付いた本発明の一実施形態を示す外観斜視図である。
【図２】図１に示した実施形態の縦断側面図である。
【図３】図１に示した実施形態の全体外観斜視図である。
【図４】本発明のフードに組立てられる本体シートの一部拡大断面図示した外観斜視図である。
【図５】噴霧器付き容器体に組付いた他の実施形態を示す外観斜視図である。
【符号の説明】
【００４１】
１    ；  フード
２    ；  基端開口部
３    ；  先端開口部
４    ；  液吸収部材
５    ；  本体シート
６    ；  係合孔
７    ；  係合突片
８    ；  係止リブ片
９    ；  嵌着治具
１０  ；  係止周溝
１１  ；  噴霧器
１２  ；  ノズルヘッド
１３  ；  トリガー
１４  ；  容器体
１５  ；  組付けキャップ
【図１】
2005270823.tif 000003
【図２】
2005270823.tif 000004
【図３】
2005270823.tif 000005
【図４】
2005270823.tif 000006
【図５】
2005270823.tif 000007